(57)【特許請求の範囲】
【請求項１】
上端に口筒部を形成して、第一剤を収容する有底筒形状の第一容体と、上端に注出口を有し、下部に内鍔片により開口部を形成して、第二剤を収容する第二容体と、該第二容体に組付いて、前記開口部を密閉する栓片を有する栓体と、前記第一容体の口筒部には密にかつ不動に組付き、前記第二容体の下端部には密にかつ上下摺動変位可能に組付くと共に、前記第二容体に対する相対的な上昇変位により、前記栓片を押上げて開口部を開放する結合部材と、から成り、前記栓体を、前記第二容体に内嵌して組付く組付きリングと、前記第二容体の開口部を上方から密閉する上昇変位可能な栓片と、間に通口を形成して前記栓片と組付きリングとを連結する少なくとも一つの連結板片とから構成し、前記結合部材を、前記第二容体の下端部に密にかつ上下摺動変位可能に組付く摺接筒片を有すると共に、前記第二容体に対する相対的な上昇変位により、前記栓片を押上げる押上げ棒片を中央に設けて構成した二剤混合容器。
【請求項２】
栓体の連結板片を、二つ以上設けると共に反転変形可能な傾斜姿勢構造とし、組付きリングを、第二容器に不動に組付くものとした、請求項１記載の二剤混合容器。
【請求項３】
栓体の組付きリングの第二容体に対する組付きを、摺動変位可能とした、請求項１記載の二剤混合容器。
【請求項４】
栓片の下面に、第二容体の開口部に密嵌入する短筒状の密嵌筒片を垂下設した、請求項１〜３のいずれか１項に記載の二剤混合容器。
【請求項５】
栓片を、第二容体の開口部に密嵌入可能な平板状に構成し、前記開口部の周面に、前記栓片の下面周縁部が密に搭載するシール周リブを突周設した、請求項１〜３のいずれか１項に記載の二剤混合容器。
【発明の詳細な説明】
【技術分野】
【０００１】
本発明は、混合して化粧料等を得る二剤を、それぞれ分離した状態で一体的に収容し、使用時に混合して化粧料等とする二剤混合容器に関するものである。
【背景技術】
【０００２】
分離して一体的に収容した二剤を、使用時に混合する二剤混合容器として、上下に連結して密に組付けられた上下の容体に、第一剤と第二剤とを別々に収容し、相互間を中蓋で遮断して構成され、使用時に中蓋を一方の容体内に離脱させて、両容体を連通状態として、二剤の混合を達成するようにしたものが、特許文献１として知られている。
【特許文献１】特開平９−１１８３７５号公報
【０００３】
上記従来技術にあっては、中蓋による二剤の分離が確実で安定的であるので、二剤の一体収納を良好に達成でき、また中蓋を離脱させるので、両容体の連通口部分を完全に開放状態とすることができる、と云う利点がある。
【発明の開示】
【発明が解決しようとする課題】
【０００４】
しかしながら、上記した従来技術にあっては、一方の容体内に離脱して浮遊している中蓋が、両容体の連通口部分に被さり、混合した二剤の注出に邪魔となる恐れがある、と云う問題があった。
【０００５】
また、容器を透明に構成した場合、離脱して容器内に浮遊している中蓋が、外部から観察されてしまい、見栄えが悪くなる、と云う問題があった。
【０００６】
そこで、本発明は、上記した従来技術における問題点を解消すべく創案されたもので、中蓋相当部分による両容体の連通口部分の密閉を、中蓋相当部分を両容体から離脱させることなく達成することを技術的課題とし、もって容器内に浮遊した中蓋相当部分による不都合の発生を皆無とすることを目的とする。
【課題を解決するための手段】
【０００７】
本発明の二剤混合容器は、第一剤を収容する第一容体と、第二剤を収容する第二容体と、この第二容体の下方の開口部を密閉する栓片を有する栓体と、第一容体と第二容体を連通可能に密に結合する結合部材とから構成されている。
【０００８】
第一容体は、上端に口筒部を形成した有底筒形状をしていて、所望量の第一剤を収容しており、また第二容体は、上端に注出口を有し、下部に内鍔片により開口部を形成して、所望量の第二剤を収容している。
【０００９】
栓体は、第二容体に内嵌して組付く組付きリングと、第二容体の開口部を上方から密閉する上昇変位可能な栓片と、間に通口を形成して栓片と組付きリングとを連結する少なくとも一つの連結板片と、から構成されている。
【００１０】
結合部材は、第一容体の口筒部には密にかつ不動に組付き、第二容体の下端部には、摺接筒片により、密にかつ上下に摺動変位可能に組付くと共に、第二容体に対する相対的な上昇変位により、栓体の栓片を押上げて開口部を開放する押上げ棒片を中央に設けたものとなっている。
【００１１】
両剤の分離収容状態では、第二容体は、第一容体と結合部材との組合せ物に対して、上昇した位置に保持されており、第二容体の開口部は、栓体の栓片により上方から密閉されている。
【００１２】
この状態から、第二容体を、第一容体と結合部材との組合せ物に対して下降変位させると、結合部材により栓体の栓片が押上げられ、これにより第二容体の開口部が開放されるので、第一容体と第二容体の間は、開口部と栓体の通口を通して連通され、第二容体内の第二剤が、開放された開口部から第一容体内に流下し、第一剤と混合する。
【００１３】
第一剤と第二剤との混合剤は、容器を倒立させてスクイズ変形させる等して、第二容体の上端開口部である注出口から注出されて、使用に供される。
【００１４】
この状態では、栓体の栓片は、結合部材により押上げられた状態となっているので、第二容体の開口部の開放を維持することになり、妄りに開口部を塞ぐことがない。
【００１５】
また、栓体は、栓片を上昇変位させただけで、第二容体に対する組付きを維持しているので、第二容体内で浮遊することがない。
【００１６】
本発明の別の構成は、栓体の連結板片を、二つ以上設けると共に反転変形可能な傾斜姿勢構造とし、組付きリングを、第二容体に不動に組付くものとした、ことを加えたものである。
【００１７】
栓体の連結板片を、二つ以上設けると共に反転変形可能とし、組付きリングの組付きを不動としたものにあっては、結合部材からの押上げにより、上昇反転変位して開口部を開放した栓片は、反転変形した連結板片の自己保持力により、その開放姿勢を保持される。
【００１８】
また、連結板片の反転変形は、変位量が反転点を過ぎれば、自己動作するものであるので、連結板片の反転点までの変位量と、結合部材に対する第二容体の下降変位量との設定によっては、栓片の開放ストロークを、結合部材に対する第二容体の下降変位量よりの大きくすることが可能となる。
【００１９】
また、本発明の別の構成は、栓体の組付きリングの第二容体に対する組付きを、摺動変位可能とした、ことを加えたものである。
【００２０】
第二容体に対する組付きリングの組付きを、摺動変位可能としたものにあっては、第二容体の開口部の開放は、栓体全体がそのまま上昇変位すれば良く、変形動作を必要としないものとなっている。
【００２１】
また、本発明の別の構成は、栓片の下面に、第二容体の開口部に密嵌入する短筒状の密嵌筒片を垂下設した、ことを加えたものである。
【００２２】
第二容体の開口部に密嵌入する密嵌筒片を、栓片の下面に設けたものにあっては、栓片による開口部の密閉を、安定して強固に達成維持することになる。
【００２３】
また、本発明の別の構成は、栓片を、第二容体の開口部に密嵌入可能な平板状に構成し、開口部の周面に、栓片の下面周縁部が密に搭載するシール周リブを突周設した、ことを加えたものである。
【００２４】
栓片を開口部に密嵌入するものとすると共に、開口部の周面に、栓片を密に搭載するシール周リブを設けたものにあっては、栓片による開口部の密閉を、シール周リブが効果的に補強すると共に、栓片の構造を、注出される混合剤が、不要に滞留することのないものとすることができる。
【発明の効果】
【００２５】
本発明は、上記した構成となっているので、以下に示す効果を奏する。
本発明にあっては、両剤の分離収容状態から、第二容体を、第一容体と結合部材との組合せ物に対して下降変位させるだけで、両剤を混合させることができるので、両剤の混合処理が極めて簡単であり、容器の取扱いが簡単である。
【００２６】
両剤を混合させた状態では、栓体の栓片は、結合部材により押上げられているので、栓片が妄りに開口部を塞ぐことがなく、これにより混合剤の円滑で良好な注出動作を得ることができる。
【００２７】
また、栓体は、第二容体に対する組付きを維持した状態で開口部を開放するので、第二容体内で浮遊することがなく、これにより外部から栓体が視覚される場合でも、見栄えが悪くなることがない。
【００２８】
栓体の連結板片を、二つ以上設けると共に反転変形可能とし、組付きリングの組付きを不動としたものにあっては、第二容体の開口部の開放を確実にかつ安定的に達成することができ、また結合部材に対する第二容体の下降変位量が小さくても、第二容体の開口部を充分に開放させることが可能となる
【００２９】
第二容体に対する組付きリングの組付きを、摺動変位可能としたものにあっては、栓体全体は、そのまま上昇変位すれば良いだけであるので、構造が簡単となる。
【００３０】
第二容体の開口部に密嵌入する密嵌筒片を、栓片の下面に設けたものにあっては、栓片による開口部の密閉を、安定して強固に達成維持することができ、両剤の分離収納を強固に安定して維持することができる。
【００３１】
栓片を開口部に密嵌入するものとすると共に、開口部の周面に、栓片を密に搭載するシール周リブを設けたものにあっては、栓片による開口部の高い密閉程度を維持すると共に、栓片の下面側に混合剤が溜まる部分を形成しないので、混合剤を無駄なく注出消費することができる。
【発明を実施するための最良の形態】
【００３２】
以下、本発明の一実施形態を、図面を参照しながら説明する。
【００３３】
本発明による二剤混合容器は、上端に口筒部３を設け、所望量の第一剤Ａを収容した有底筒形状の第一容体１と、上端に注出口を有し、下部に内鍔片７により開口部８を形成して、所望量の第二剤Ｂを収容する第二容体５と、この第二容体５に組付いて、開口部８を上方から密閉する栓片１４を有する栓体１３と、第一容体１の口筒部３に密にかつ不動に組付くと共に、第二容体５の下端部に密にかつ上下摺動変位可能に組付いて、両容体１、５を密に結合し、第二容体５に対する相対的な上昇変位により、栓片１４を押上げて開口部８を開放する結合部材２０と、を有している。
【００３４】
また、第二容体５の下端縁と、この下端縁に下方から対向する結合部材２０部分との間には、突き当りにより第二容体５の結合部材２０に対する下降変位を阻止すると共に、不正操作を防止する、取外しが容易なバージンリング２６が設けられており、第二容体５の上部には、注出口を開閉する有頂筒状のオーバーキャップ２７が着脱自在に組付けられており、そして第一容体１の口筒部３の上端面と結合部材２０との間には、両者の組付きを密とするパッキン２８が配置されている。
【００３５】
図示実施形態例の場合、第一容体１は、口筒部３を縮径形成した円筒状の本体筒２と、この本体筒２の下端開口部に密に組付いて密閉し、弾性撓み変形することにより、混合容器にスポイト機能を付与する弾性ボタン４とから構成されている。
【００３６】
第二容体５は、上半を、先細の口筒片１２とした円筒状の上側筒１１と、上部を上側筒１１の下部に、密にかつ不動に嵌合させ、内周面の中央部に、上面を中央に向って下降傾斜したテーパー面として、開口部８を形成する内鍔片７を周設した下側筒６とから構成されている。
【００３７】
結合部材２０は、上部を第二容体５の下側筒６の下部に空転不能に嵌入組付けし、下部の外側にバージンリング２６を嵌装組付けした外筒片２１の内周面中央部に、隔壁状の仕切壁２２を連設し、この仕切壁２２に、内鍔片７から垂下設されたシール筒９と密摺接可能に嵌合する摺接筒片２４を起立設すると共に、中央に押上げ棒片２５を起立設し、さらに摺接筒片２４と押上げ棒片２５との間に、第一容体１の口筒部３と連通する複数の通路口２３を開設して構成されている。
【００３８】
図１および図２は、本発明の第一の実施形態例を示すもので、栓体１３は、第二容体５の内鍔片７に突き当たった状態で、下側筒６に強固に嵌合組付きする組付きリング１７と、開口部８を上方から密閉する栓片１４と、この栓片１４と組付きリング１７とを連結し、間に通口１９を形成した二つ以上の連結板片１８とから構成されている。
【００３９】
栓片１４は、平円板状をしており、その下面に、開口部８に密嵌入する、短円筒状の密嵌筒片１５を突設すると共に、中央に、結合部材２０の押上げ棒片２５に直上から対向する突き当たり片１６を垂下設している。
【００４０】
また、二つ以上設けられた連結板片１８は、内鍔片７の上面であるテーパー面に沿った傾斜姿勢に成形されており、その栓片１４および組付きリング１７との連結部分は、反転弾性変形が容易に達成できるように、やや肉薄に成形されている。
【００４１】
この第一の実施形態例において、図１の混合前の状態から、バージンリング２６を取外して、図２に示すように、第二容体５を押下げると、押上げ棒片２５に対する突き当たり片１６の突き当りにより、栓片１４が押上げられて、開口部８が開放され、第二容体５内の第二剤Ｂが、図２中矢印に示すように、通口１９と開口された開口部８を通って第一容体器１内に流下して、第一剤Ａと第二剤Ｂとの混合が達成される。
【００４２】
この開口部８の開放状態にあって、上昇変位した栓片１４は、押上げ棒片２５の押上げにより、上昇変位姿勢を維持されるが、押上げ棒片２５による押上げ作用が働かない状態であっても、連結板片１８の反転弾力により、その上昇変位位置を保持されることになる。
【００４３】
図３は、本発明の第二の実施形態例を示すもので、第一の実施形態例における栓片１４を、開口部８に密嵌入する構造とし、また開口部８の周面に、栓片１４の下面周縁部が密に登載するシール周リブ１０を周設して構成されている。
【００４４】
この第二の実施形態例において、栓片１４による開口部８の開閉動作は、第一の実施形態例と全く同じであるが、栓片１４の下面側に、得られた混合剤が溜まる可能性のある凹部を、全く形成しないものとなっている。
【００４５】
図４および図５は、本発明の第三の実施形態例を示すもので、栓体１３は、第二容体５の下側筒６に、摺動変位可能に嵌装組付きする組付きリング１７と、開口部８を上方から密閉する栓片１４と、この栓片１４と組付きリング１７とを連結し、間に通口１９を形成した少なくとの一つの連結板片１８とから構成されている。
【００４６】
組付きリング１７は、下側筒６に対する組付き力を適正に調整するために、その上半部分に複数の割り溝を設けており、また連結板片１８は、反転変形する必要がなく、単に栓片１４と組付きリング１７とを連結しているだけである。
【００４７】
この第三の実施形態例にあっては、第二容体５を結合部材２０に対して下降変位させると、図５に示すように、栓体１３が、押上げ棒片２５に押上げられて、摺動して上昇変位して開口部８を開放し、矢印に示すように、第二剤Ｂを流下させて第一剤Ａと混合させる。
【００４８】
上昇変位した栓体１３は、下側筒６に対する組付きリング１７の組付き力により、上昇変位した位置に止まり、妄りに変位することがない。
【００４９】
なお、図示実施例は、スポイト機能付き容器の構成を示しているが、本発明はこれに限られることはなく、単なる注出容器であっても良い。
【図面の簡単な説明】
【００５０】
【図１】本発明の第一の実施形態例の、半縦断した全体図である。
【図２】図１の実施形態例の、混合状態時の半縦断した全体図である。
【図３】本発明の第二の実施形態例の、半縦断した要部拡大図である。
【図４】本発明の第三の実施形態例の、半縦断した全体図である。
【図５】図４の実施形態例の、混合状態時の半縦断した全体図である。
【符号の説明】
【００５１】
１  ；  第一容体
２  ；  本体筒
３  ；  口筒部
４  ；  弾性ボタン
５  ；  第二容体
６  ；  下側筒
７  ；  内鍔片
８  ；  開口部
９  ；  シール筒
１０；  シール周リブ
１１；  上側筒
１２；  口筒片
１３；  栓体
１４；  栓片
１５；  密嵌筒片
１６；  突き当たり片
１７；  組付きリング
１８；  連結板片
１９；  通口
２０；  結合部材
２１；  外筒片
２２；  仕切壁
２３；  通路口
２４；  摺接筒片
２５；  押上げ棒片
２６；  バージンリング
２７；  オーバーキャップ
２８；  パッキン
Ａ  ；  第一剤
Ｂ  ；  第二剤
【図１】
0005046105.tif 000002
【図２】
0005046105.tif 000003
【図３】
0005046105.tif 000004
【図４】
0005046105.tif 000005
【図５】
0005046105.tif 000006